(57)【要約】【課題】自由度が高く、且つ、簡素な装置構成で良好な走査透過電子像を観察することができる試料観察方法を提供する。【解決手段】試料上で電子線を走査し、電子の入射により発光する発光体に対して試料を透過した電子を入射させる走査工程と、試料を透過した電子が入射する側に発光体が放射した光を検出する検出工程と、電子線の走査位置と、検出された光の情報とを用いて走査透過電子像を得る結像工程とを含む、電子線を用いた試料観察方法である。【選択図】図１
2015181101.tif 000002
【特許請求の範囲】
【請求項１】
試料上で電子線を走査し、電子の入射により発光する発光体に対して前記試料を透過した電子を入射させる走査工程と、
前記発光体が、前記試料を透過した電子が入射する側に放射した光を検出する検出工程と、
前記電子線の走査位置と、検出された光の情報とを用いて走査透過電子像を得る結像工程と、
を含む、電子線を用いた試料観察方法。
【請求項２】
前記発光体の少なくとも一部を前記電子線の光軸上に位置させた状態で前記走査工程および前記検出工程を実施し、前記結像工程において明視野像を得る第一の走査透過電子像の取得工程と、
前記発光体の少なくとも一部を前記電子線の光軸上からオフセットさせた状態で前記走査工程および前記検出工程を実施し、前記結像工程において暗視野像を得る第二の走査透過電子像の取得工程と、
を含み、
前記第一の走査透過電子像の取得工程と、前記第二の走査透過電子像の取得工程との間で、前記試料の位置に対する前記発光体の位置を相対的に変化させる、請求項１に記載の電子線を用いた試料観察方法。
【請求項３】
前記走査工程において、少なくとも一部が前記電子線の光軸上に位置する第一の発光体と、少なくとも一部が前記電子線の光軸上からオフセットした位置にあり、且つ、前記第一の発光体とは異なる波長の光を放射する第二の発光体とに対して前記試料を透過した電子を当て、
前記検出工程において、前記第一の発光体が放射した光と、前記第二の発光体が放射した光とを分けて検出し、
前記結像工程において、前記第一の発光体が放射した光の情報を用いて明視野像を結像し、前記第二の発光体が放射した光の情報を用いて暗視野像を結像する、請求項１に記載の電子線を用いた試料観察方法。
【請求項４】
電子顕微鏡の試料ステージに着脱自在に取り付け可能な電子顕微鏡用アタッチメントであって、
試料を設置する試料台と、
前記試料台に形成された電子通過孔と、
電子の入射により発光する発光体と、
前記発光体を支持する支持台と、
を備え、
前記発光体は、前記試料台側に位置する表面の少なくとも一部が前記電子通過孔を望む位置に設けられ、且つ、前記試料台側とは反対側に位置する裏面の全体が前記支持台により支持されている、電子顕微鏡用アタッチメント。
【請求項５】
前記試料の位置に対する前記発光体の位置を相対的に変化させる相対変位機構を更に備える、請求項４に記載の電子顕微鏡用アタッチメント。
【請求項６】
前記発光体が、表面の少なくとも一部が前記電子通過孔に対向する位置に設けられた第一の発光体と、表面の少なくとも一部が前記電子通過孔に対向する位置からオフセットした位置に設けられ、且つ、前記第一の発光体とは異なる波長の光を放射する第二の発光体とを含む、請求項４に記載の電子顕微鏡用アタッチメント。
【請求項７】
試料を設置する試料台と、
前記試料台に形成された電子通過孔と、
前記試料上で電子線を走査する電子線走査機構と、
電子の入射により発光する発光体と、
前記発光体が放射した光を検出する光検出器と、
前記電子線の走査位置と、前記光検出器で検出された光の情報とを用いて走査透過電子像を形成する結像機構と、
を備え、
前記発光体は、前記試料を透過した電子が入射する位置に設けられ、
前記光検出器は、前記発光体が、前記試料を透過した電子が入射する側に放射した光を検出する、電子顕微鏡。
【請求項８】
前記試料の位置に対する前記発光体の位置を相対的に変化させる相対変位機構を更に備える、請求項７に記載の電子顕微鏡。
【請求項９】
前記発光体が、表面の少なくとも一部が前記電子通過孔に対向する位置に設けられた第一の発光体と、表面の少なくとも一部が前記電子通過孔に対向する位置からオフセットする位置に設けられ、且つ、前記第一の発光体とは異なる波長の光を放射する第二の発光体とを含み、
前記光検出器が、前記第一の発光体が放射した光と、前記第二の発光体が放射した光とを分けて検出する、請求項７に記載の電子顕微鏡。
【発明の詳細な説明】
【技術分野】
【０００１】
本発明は、電子線を用いた試料観察方法、並びに、電子顕微鏡用アタッチメントおよび電子顕微鏡に関し、特には、試料の走査透過電子像を形成して試料を観察する方法、並びに、走査透過電子像を用いた試料の観察に適した電子顕微鏡用アタッチメントおよび電子顕微鏡に関するものである。
【背景技術】
【０００２】
従来、電子顕微鏡として、バルク状の試料の表面観察に用いられる走査型電子顕微鏡（ＳＥＭ：Scanning Electron Microscope）や、薄膜状の試料の透過像観察に用いられる透過型電子顕微鏡（ＴＥＭ：Transmission Electron Microscope）が知られている。そして、近年では、走査型電子顕微鏡と透過型電子顕微鏡のそれぞれの特徴を併せ持った電子顕微鏡として、走査透過電子顕微鏡（ＳＴＥＭ：Scanning Transmission Electron Microscope）が注目されている。
【０００３】
ここで、ＳＴＥＭは、薄膜状の試料上で電子線を走査し、試料を透過した電子の強度を信号として走査透過電子像を結像するものであり、各種材料や生体組織などの様々な試料について微小部分の構造観察や元素分布の分析をする際などに利用されている。そして、近年、ＳＴＥＭとしては、広く普及しており、且つ、操作性に優れていると共に比較的低い加速電圧での観察が可能なＳＥＭに対して走査透過電子像観察用の試料ホルダや透過電子検出器を取り付けることにより走査透過電子像の観察を可能にした低加速ＳＴＥＭなどの様々なＳＴＥＭが提案されている。
【０００４】
具体的には、例えば非特許文献１では、試料を支持する支持部と、試料を透過した電子を絞る絞り部および当該絞り部を駆動する駆動機構を備える可動絞りと、絞り部を通過した電子線が照射されることで二次電子を発生する二次電子発生部とを備える試料ホルダをＳＥＭに取り付けて構成したＳＴＥＭが提案されている。
また、例えば特許文献１では、電子銃と、試料を透過した電子を絞る散乱角制限絞りおよび当該散乱角制限絞りを通過した電子を光に変換するシンチレーターを備える試料ホルダと、シンチレーターが発した光をシンチレーターの裏面側（シンチレーターに電子が入射する側とは反対側）で検出して電気信号に変換する光電子増倍管とを有するＳＴＥＭが提案されている。
【先行技術文献】
【特許文献】
【０００５】
【特許文献１】特開２００８−３１１２１４号公報
【非特許文献】
【０００６】
【非特許文献１】村中祥悟、“走査電子顕微鏡で薄膜試料の透過二次電子像を観察する試料ホルダの改良”、［online］、[平成26年1月30日検索]、インターネット<URL：http://www.tech.eng.kumamoto-u.ac.jp/kumamoto2011/report_pdf/data/program_pdf/E/E-2.pdf>
【発明の概要】
【発明が解決しようとする課題】
【０００７】
しかし、非特許文献１に記載のＳＴＥＭでは、二次電子発生部で発生した二次電子をＳＥＭの二次電子検出器で検出することにより走査透過電子像を得ているため、試料を透過した電子によって二次電子発生部で発生した二次電子以外の電子、例えば試料の表面から発生した二次電子なども検出してしまい、良好な走査透過電子像が得られない虞があった。特に、非特許文献１に記載のＳＴＥＭでは、走査透過電子像の観察とエネルギー分散型Ｘ線分光器（ＥＤＳ）を用いた元素分析とを同時に実施しようとした場合など、ＳＥＭのレンズと試料との間の距離（ＷＤ：ワーキングディスタンス）を大きくした場合に、試料の表面から発生した二次電子も検出してしまい、走査透過電子像がぼやける虞があった。
【０００８】
一方、特許文献１に記載のＳＴＥＭによれば、シンチレーターが発した光を光電子増倍管で検出しているので、上述した、試料の表面から発生した二次電子の検出の問題が発生するのを防止することはできる。しかしながら、特許文献１に記載のＳＴＥＭには、シンチレーターが発した光をシンチレーターの裏面側（シンチレーターに電子が入射する側とは反対側）で検出しているため、シンチレーターの配設位置および形状が制限され、自由度が低いと共に、シンチレーターの裏面側に光検出用のスペースが必要になり、装置が大型化および複雑化するという問題があった。
【０００９】
そこで、本発明は、上述した課題を解決し、自由度が高く、且つ、簡素な装置構成で良好な走査透過電子像を観察することができる試料観察方法、電子顕微鏡用アタッチメントおよび電子顕微鏡を提供することを目的とする。
【課題を解決するための手段】
【００１０】
本発明者らは、上記課題を解決することを目的として鋭意検討を行った。そして、本発明者らは、試料上で電子線を走査し、電子のエネルギーを光に変換可能な発光体に対して試料を透過した電子を当て、発光体から放射される光を検出することにより走査透過電子像を得る際に、発光体が当該発光体の表面側（発光体に電子が入射する側）に放射した光を検出することにより、自由度が高く、且つ、簡素な装置構成で良好な走査透過電子像を観察することができることを見出した。また、本発明者らは、上述のようにして試料の走査透過電子像を観察する際に、試料の位置に対する発光体の配設位置を変更して走査透過電子像を得ることにより、明視野像（試料を透過した電子のうち、散乱されずに透過した電子および小さい角度で前方散乱した電子を検出して得られる像）と、暗視野像（試料を透過した電子のうち、前方散乱・回折した電子を検出して得られる像）との双方を容易に得ることができることも見出した。
そして、本発明者らは、上述した新たな知見に基づき、本発明を完成させた。
【００１１】
即ち、この発明は、上記課題を有利に解決することを目的とするものであり、本発明の電子線を用いた試料観察方法は、試料上で電子線を走査し、電子の入射により発光する発光体に対して前記試料を透過した電子を入射させる走査工程と、前記発光体が、前記試料を透過した電子が入射する側に放射した光を検出する検出工程と、前記電子線の走査位置と、検出された光の情報とを用いて走査透過電子像を得る結像工程とを含むことを特徴とする。
【００１２】
ここで、本発明の電子線を用いた試料観察方法では、前記発光体の少なくとも一部を前記電子線の光軸上に位置させた状態で前記走査工程および前記検出工程を実施し、前記結像工程において明視野像を得る第一の走査透過電子像の取得工程と、前記発光体の少なくとも一部を前記電子線の光軸上からオフセットさせた状態で前記走査工程および前記検出工程を実施し、前記結像工程において暗視野像を得る第二の走査透過電子像の取得工程とを含み、前記第一の走査透過電子像の取得工程と、前記第二の走査透過電子像の取得工程との間で、前記試料の位置に対する前記発光体の位置を相対的に変化させることが好ましい。
或いは、本発明の電子線を用いた試料観察方法では、前記走査工程において、少なくとも一部が前記電子線の光軸上に位置する第一の発光体と、少なくとも一部が前記電子線の光軸上からオフセットした位置にあり、且つ、前記第一の発光体とは異なる波長の光を放射する第二の発光体とに対して前記試料を透過した電子を当て、前記検出工程において、前記第一の発光体が放射した光と、前記第二の発光体が放射した光とを分けて検出し、前記結像工程において、前記第一の発光体が放射した光の情報を用いて明視野像を結像し、前記第二の発光体が放射した光の情報を用いて暗視野像を結像することが好ましい。
【００１３】
また、この発明は、上記課題を有利に解決することを目的とするものであり、本発明の電子顕微鏡用アタッチメントは、電子顕微鏡の試料ステージに着脱自在に取り付け可能な電子顕微鏡用アタッチメントであって、試料を設置する試料台と、前記試料台に形成された電子通過孔と、電子の入射により発光する発光体と、前記発光体を支持する支持台とを備え、前記発光体は、前記試料台側に位置する表面の少なくとも一部が前記電子通過孔を望む位置に設けられ、且つ、前記試料台側とは反対側に位置する裏面の全体が前記支持台により支持されていることを特徴とする。
【００１４】
ここで、本発明の電子顕微鏡用アタッチメントは、前記試料の位置に対する前記発光体の位置を相対的に変化させる相対変位機構を更に備えることが好ましい。
或いは、本発明の電子顕微鏡用アタッチメントは、前記発光体が、表面の少なくとも一部が前記電子通過孔に対向する位置に設けられた第一の発光体と、表面の少なくとも一部が前記電子通過孔に対向する位置からオフセットした位置に設けられ、且つ、前記第一の発光体とは異なる波長の光を放射する第二の発光体とを含むことが好ましい。
【００１５】
更に、この発明は、上記課題を有利に解決することを目的とするものであり、本発明の電子顕微鏡は、試料を設置する試料台と、前記試料台に形成された電子通過孔と、前記試料上で電子線を走査する電子線走査機構と、電子の入射により発光する発光体と、前記発光体が放射した光を検出する光検出器と、前記電子線の走査位置と、前記光検出器で検出された光の情報とを用いて走査透過電子像を形成する結像機構とを備え、前記発光体は、前記試料を透過した電子が入射する位置に設けられ、前記光検出器は、前記発光体が、前記試料を透過した電子が入射する側に放射した光を検出することを特徴とする。
【００１６】
ここで、本発明の電子顕微鏡は、前記試料の位置に対する前記発光体の位置を相対的に変化させる相対変位機構を更に備えることが好ましい。
或いは、本発明の電子顕微鏡は、前記発光体が、表面の少なくとも一部が前記電子通過孔に対向する位置に設けられた第一の発光体と、表面の少なくとも一部が前記電子通過孔に対向する位置からオフセットする位置に設けられ、且つ、前記第一の発光体とは異なる波長の光を放射する第二の発光体とを含み、前記光検出器が、前記第一の発光体が放射した光と、前記第二の発光体が放射した光とを分けて検出することが好ましい。
【発明の効果】
【００１７】
本発明の電子線を用いた試料観察方法によれば、簡素な装置を使用し、高い自由度で良好な走査透過電子像を観察することができる。
また、本発明の電子顕微鏡用アタッチメントによれば、簡素な構成のアタッチメントを用いて、良好な走査透過電子像を高い自由度で観察することができる。
更に、本発明の電子顕微鏡は、構成が簡素であり、且つ、良好な走査透過電子像を高い自由度で観察することができる。
【図面の簡単な説明】
【００１８】
【図１】本発明に従う電子線を用いた試料観察方法の一例に従って試料の走査透過電子像を観察する様子を示す説明図である。
【図２】本発明に従う代表的な電子顕微鏡の構造を示す模式図である。
【図３】本発明に従う代表的な電子顕微鏡用アタッチメントを示す図であり、（ａ）は断面図、（ｂ）は平面図である。
【図４】図２に示す電子顕微鏡を用いて観察した走査透過電子像であり、（ａ）は明視野像を示し、（ｂ）は暗視野像を示す。
【図５】（ａ）および（ｂ）は、図２に示す電子顕微鏡を用いて観察したフェライト系ステンレス鋼の走査透過電子像（明視野像および暗視野像）であり、（ｃ）および（ｄ）は、透過型電子顕微鏡を用いて観察したフェライト系ステンレス鋼の透過型電子顕微鏡像である。
【図６】（ａ）は、図２に示す電子顕微鏡を用いて観察したフェライト系ステンレス鋼の走査透過電子像（明視野像）であり、（ｂ）は、インレンズ検出器を用いて作成したフェライト系ステンレス鋼の二次電子像であり、（ｃ）は、チャンバー検出器を用いて作成したフェライト系ステンレス鋼の二次電子像である。
【図７】（ａ）は、図２に示す電子顕微鏡を用いて観察したフェライト系ステンレス鋼の走査透過電子像（暗視野像）であり、（ｂ）は、図７（ａ）に示されるフェライト系ステンレス鋼の一部に対して行なったＥＤＳ分析の結果を示す図である。
【図８】（ａ）は、図２に示す電子顕微鏡を用いて倍率２００倍、ワーキングディスタンス８．０ｍｍで観察したＣｕグリッド上のカーボン薄膜の走査透過電子像（明視野像）であり、（ｂ）は、市販の薄膜観察用ＳＥＭホルダを取り付けた走査型電子顕微鏡を用いて倍率２００倍、ワーキングディスタンス２．７ｍｍで観察したＣｕグリッド上のカーボン薄膜の走査透過電子像（明視野像）であり、（ｃ）は、市販の薄膜観察用ＳＥＭホルダを取り付けた走査型電子顕微鏡を用いて倍率２００倍、ワーキングディスタンス１５ｍｍで観察したＣｕグリッド上のカーボン薄膜の二次電子像である。
【発明を実施するための形態】
【００１９】
以下、本発明の実施の形態を、図面に基づき詳細に説明する。なお、各図において、同一の符号を付したものは、同一の構成要素を示すものとする。
【００２０】
ここで、本発明の電子線を用いた試料観察方法は、各種材料や生体組織などの様々な試料について走査透過電子像を観察する際に用いることができる。そして、本発明の電子顕微鏡および電子顕微鏡用アタッチメントは、本発明の電子線を用いた試料観察方法により試料を観察する際に特に好適に用いることができる。
【００２１】
（電子線を用いた試料観察方法）
以下、本発明の試料観察方法の一例を用いて試料の走査透過電子像を観察する方法について、図１を参照しつつ説明する。
【００２２】
本発明に従う電子線を用いた試料観察方法の一例では、試料Ｓ上で電子線ＥＢを走査し、電子の入射により発光する発光体Ｌに対して試料Ｓを透過した電子ＴＥ，ＳＥを入射させる走査工程と、発光体Ｌが、試料Ｓを透過した電子ＴＥ，ＳＥが入射する側に放射した光ＥＬを検出する検出工程と、電子線ＥＢの走査位置と、検出された光の情報とを用いて走査透過電子像を得る結像工程とを実施して、試料の走査透過電子像を観察する。以下、各工程について詳細に説明する。
【００２３】
＜走査工程＞
走査工程では、試料Ｓ上で電子線ＥＢを走査し、試料Ｓに照射した電子線ＥＢの一部を発光体Ｌ側（試料Ｓに電子線ＥＢを照射する側とは反対側）に透過させる。そして、走査工程では、試料Ｓを透過した電子ＴＥ，ＳＥを、図１では試料Ｓの下側に位置する発光体Ｌに対して入射させる。
【００２４】
ここで、試料Ｓとしては、各種材料や生体組織などの薄片試料を用いることができる。そして、試料Ｓは、例えば電解研磨などの既知の手法を用いて調製することができ、試料Ｓの形状およびサイズは、電子線ＥＢの一部を透過させて走査透過電子像を観察することが可能であれば、任意の形状およびサイズとすることができる。
また、電子線ＥＢを試料Ｓ上で走査する手段としては、特に限定されることなく、電子銃、集束レンズおよび走査コイルなどの既知の電子線走査機構を用いることができる。
更に、発光体Ｌとしては、電子の入射により発光する既知の発光体、例えば、硫化亜鉛（ＺｎＳ）などの発光物質を含む既知の蛍光塗料を用いて形成したフィルムや板を用いることができる。
【００２５】
そして、走査工程では、試料Ｓを透過した電子、具体的には、散乱されずに透過した電子（透過電子ＴＥ）および前方散乱した電子（ＳＥ）の少なくとも一方が、発光体Ｌに入射し、発光体Ｌが発光する。なお、通常、発光体Ｌが放射した光ＥＬの強度は、発光体Ｌに入射した電子の強度に比例する。
【００２６】
＜検出工程＞
次に、検出工程では、光検出器Ｄを使用して、発光体Ｌが、試料Ｓを透過した電子ＴＥ，ＳＥが入射する側（図１では上側）に放射した光ＥＬを検出する。具体的には、検出工程では、発光体Ｌが放射した光について、光検出器Ｄを使用し、光の強度を含む情報を取得する。
【００２７】
ここで、光検出器Ｄとしては、光電子増倍管などの既知の光検出器を用いることができる。なお、光検出器Ｄを用いた光ＥＬの検出に際しては、図示しない反射ミラーなどを使用して光ＥＬを集光してもよい。反射ミラーを使用して光ＥＬを集光すれば、検出される光の強度を高め、光の強度を含む情報を高感度で取得することができる。
【００２８】
＜結像工程＞
そして、結像工程では、電子線ＥＢの走査位置と、検出工程において検出された光の情報とを用いて走査透過電子像を作成する。具体的には、結像工程では、光検出器Ｄで光が検出された際に電子線ＥＢが走査していた位置（走査位置）と、光検出器Ｄで検出した光の強度とを対応付けると共に、各走査位置に対応付けられた光の強度を既知の手法で輝度変調することにより、走査透過電子像を作成する。
【００２９】
なお、この結像工程で得られる走査透過電子像は、前述した走査工程および検出工程を実施する際の試料Ｓの配置位置と発光体Ｌの配置位置とが図１に実線で示すような位置関係、即ち、試料Ｓを透過した電子ＴＥ，ＳＥのうち、散乱されずに透過した電子ＴＥおよび小さい角度で前方散乱した電子ＳＥが発光体Ｌに入射するような位置関係にある場合には、明視野像となる。一方、前述した走査工程および検出工程を実施する際の試料Ｓの配置位置と発光体Ｌの配置位置とが図１に破線で示すような位置関係、即ち、試料Ｓを透過した電子ＴＥ，ＳＥのうち、前方散乱・回折した電子ＳＥが発光体Ｌに入射するような位置関係にある場合には、この結像工程で得られる走査透過電子像は、暗視野像となる。
【００３０】
そして、上述した試料観察方法の一例によれば、試料Ｓを透過した電子ＴＥ，ＳＥを発光体Ｌに入射させ、発光体Ｌが放射した光を検出して走査透過電子像を得ているので、二次電子検出器などを用いて走査透過電子像を作成する場合とは異なり、試料の表面や裏面から発生した二次電子などを検出する虞がない。従って、例えば走査透過電子像の観察とエネルギー分散型Ｘ線分光器（ＥＤＳ）を用いた元素分析とを同時に実施しようとした場合など、レンズと試料との間の距離（ＷＤ：ワーキングディスタンス）を大きくした場合であっても、良好な走査透過電子像を観察することができる。
【００３１】
また、上述した試料観察方法の一例によれば、試料Ｓを透過した電子ＴＥ，ＳＥが入射する側（図１では上側）に対して発光体Ｌが放射した光ＥＬを検出しているので、発光体が放射した光を検出するためのスペース（例えば、検出器などを設置するスペース）を発光体Ｌの図１では下側に設ける必要が無い。従って、観察に使用する装置が大型化および複雑化するのを抑制することができる。
【００３２】
更に、上述した試料観察方法の一例によれば、試料Ｓを透過した電子ＴＥ，ＳＥが発光体Ｌに入射し得る位置に試料Ｓおよび発光体Ｌを配置すれば、任意の透過位置または散乱位置において電子ＴＥ，ＳＥを発光体Ｌに入射させ、明視野像または暗視野像を得ることができる。従って、試料を透過した電子を絞る絞りを使用しなくても、良好な走査透過電子像を観察することができる。また、大きな角度で散乱した電子など、所望の位置に透過または散乱した電子を利用して走査透過電子像を観察することができる。更に、発光体Ｌのサイズおよび形状を任意に選択することができ、また、それらの変更も容易である。例えば、明視野像を得る際には、円盤状の発光体Ｌを使用することができ、暗視野像を得る際には、円環状の発光体Ｌを使用することができる。よって、高い自由度での試料の観察が可能になる。
【００３３】
＜試料観察方法の応用例＞
ここで、上述した通り、本発明に従う試料観察方法では、走査工程および検出工程を実施する際の試料Ｓの配置位置と発光体Ｌの配置位置とに応じて、明視野像または暗視野像が得られる。従って、本発明に従う試料観察方法によれば、試料を透過した電子を絞る絞り等を使用しなくても、試料Ｓと発光体Ｌとの相対的な位置関係の違いを利用することにより、同一の試料Ｓについて明視野像と暗視野像との双方を得ることができる。
【００３４】
具体的には、本発明に従う試料観察方法の一応用例では、例えば、第一の走査透過電子像の取得工程として、発光体Ｌの少なくとも一部を電子線ＥＢの光軸上に位置させた状態で走査工程および検出工程を実施し、結像工程において明視野像を得た後、試料Ｓの位置に対する発光体Ｌの位置を相対的に変化させ、第二の走査透過電子像の取得工程として、発光体Ｌの少なくとも一部を電子線ＥＢの光軸上からオフセットさせた状態で走査工程および検出工程を実施し、結像工程において暗視野像を得ることにより、同一の試料Ｓについて明視野像と暗視野像との双方を得ることができる。
【００３５】
ここで、第一の走査透過電子像の取得工程および第二の走査透過電子像の取得工程の実施順序は逆であってもよい。
また、第一の走査透過電子像の取得工程における、「発光体Ｌの少なくとも一部を電子線ＥＢの光軸上に位置させた状態」とは、図１に実線で示すような状態、即ち、試料Ｓの直下に発光体Ｌが位置し、試料Ｓを透過した電子ＴＥ，ＳＥのうち、少なくとも電子ＴＥ（散乱されずに透過した電子）が発光体Ｌに入射して明視野像が得られるような状態を指す。
更に、第二の走査透過電子像の取得工程における、「発光体Ｌの少なくとも一部を電子線ＥＢの光軸上からオフセットさせた状態」とは、図１に破線で示すような状態、即ち、試料Ｓの直下からずれた位置に発光体Ｌが位置し、試料Ｓを透過した電子ＴＥ，ＳＥのうち、少なくとも電子ＳＥ（前方散乱・回折した電子）が発光体Ｌに入射して暗視野像が得られるような状態を指す。なお、図１の破線では、電子ＳＥのみが入射する位置に発光体Ｌを設置した場合を示している。
【００３６】
そして、上述した一応用例の試料観察方法によれば、試料Ｓの位置と発光体Ｌの位置との少なくとも一方を変更して走査工程、検出工程および結像工程を実施するだけで、発光体Ｌに入射する電子を変更し、同一の試料について明視野像と暗視野像との双方を簡便かつ容易に得ることができる。
【００３７】
なお、上記一応用例では、試料Ｓの位置と発光体Ｌの位置との少なくとも一方を変更することで明視野像と暗視野像とを切り替えたが、本発明に従う試料観察方法の他の応用例では、例えば、電子が入射した際に互いに異なる波長の光を放射する二種類の発光体を利用し、各発光体が放射する光を分けて検出することによっても、同一の試料について明視野像と暗視野像との双方を簡便かつ容易に得ることができる。
【００３８】
具体的には、本発明に従う試料観察方法の他の応用例では、少なくとも一部が電子線の光軸上に位置するように第一の発光体を配置し、且つ、第一の発光体とは異なる波長の光を放射する第二の発光体を少なくとも一部が電子線の光軸上からオフセットした位置に配置した状態で走査工程を実施する。より具体的には、図１に実線で示すような位置、即ち試料Ｓを透過した電子ＴＥ，ＳＥのうち、少なくとも電子ＴＥ（散乱されずに透過した電子）が入射するような位置に第一の発光体Ｌを配置すると共に、図１に破線で示すような位置、即ち試料Ｓを透過した電子ＴＥ，ＳＥのうち、少なくとも電子ＳＥ（前方散乱・回折した電子）が入射するような位置に第二の発光体Ｌを配置した状態で走査工程を実施する。
次に、検出工程において、第一の発光体Ｌが放射した光ＥＬ（図１中、実線で示す光ＥＬ）と、第二の発光体が放射した光ＥＬ（図１中、破線で示す光ＥＬ）とを分けて検出する。なお、２種類の光の検出は、２台の検出器の使用や、分光器の使用などの既知の手法を用いて行なうことができる。
そして、結像工程において、第一の発光体Ｌが放射した光ＥＬの情報を用いて明視野像を結像し、第二の発光体Ｌが放射した光ＥＬの情報を用いて暗視野像を結像する。より具体的には、第一の発光体Ｌが放射した光ＥＬが検出された際に電子線ＥＢが走査していた位置（走査位置）と、検出された光の強度とを対応付けると共に、各走査位置に対応付けられた光の強度を既知の手法で輝度変調することにより、明視野像を作成する。また、第二の発光体Ｌが放射した光ＥＬが検出された際に電子線ＥＢが走査していた位置（走査位置）と、検出された光の強度とを対応付けると共に、各走査位置に対応付けられた光の強度を既知の手法で輝度変調することにより、暗視野像を作成する。
【００３９】
このように、本発明に従う試料観察方法の他の応用例によれば、発光する光の波長が互いに異なる２種類の発光体を異なる位置に配置して使用することで、同一の試料について明視野像と暗視野像との双方を簡便かつ容易に得ることができる。特に、この他の応用例によれば、試料や発光体の位置を変更しなくても明視野像と暗視野像との双方を得ることができるので、より簡便かつ容易に明視野像と暗視野像との双方を観察することができる。
【００４０】
（電子顕微鏡）
次に、上述した本発明の試料観察方法の一例および応用例を用いて試料の走査透過電子像を観察する際に好適に使用し得る本発明の電子顕微鏡の一例について、図２および図３を参照しつつ説明する。なお、以下では、電子顕微鏡のなかでも最も普及している走査型電子顕微鏡（ＳＥＭ）の試料ステージに対して本発明に従う電子顕微鏡用アタッチメントを取り付けることにより構成した電子顕微鏡について説明するが、本発明の電子顕微鏡は、本発明に従う電子顕微鏡用アタッチメントを使用したものには限定されず、以下に説明する電子顕微鏡用アタッチメントと試料ステージとを一体化したものであってもよい。但し、ＳＥＭに組み合わされている各種装置（例えば、集束イオン加工装置（ＦＩＢ）など）との併用が可能であるという観点からは、ＳＥＭの試料ステージに対して本発明に従う電子顕微鏡用アタッチメントを取り付けることにより電子顕微鏡を構成することが好ましい。
【００４１】
ここで、図２に示す電子顕微鏡１０は、光検出器Ｄを備える市販のＳＥＭの試料ステージ５に対して電子顕微鏡用アタッチメント６を取り付けた例である。そして、電子顕微鏡１０は、電子銃１と、電子銃１から放出された電子線ＥＢを試料Ｓ上に集束させるための集束レンズ２と、電子線ＥＢを試料Ｓ上で走査するための走査コイル３，４と、試料ステージ５と、試料ステージ５上に着脱自在に取り付けられた電子顕微鏡用アタッチメント６と、光検出器Ｄとを備えている。また、電子顕微鏡１０は、電子線ＥＢの走査位置と、光検出器Ｄで検出された光の情報とを用いて走査透過電子像を形成する結像機構（図示せず）を更に備えている。
【００４２】
そして、図２に示す電子顕微鏡１０では、電子源としての電子銃１と、電子銃１の下側に設けられた集束レンズ２と、集束レンズ２の下側に設けられた走査コイル３，４とが試料Ｓ上で電子線ＥＢを走査する電子線走査機構として機能する。なお、電子線走査機構の構成は上記構成には限定されない。
【００４３】
また、電子顕微鏡用アタッチメント６は、試料Ｓを設置する試料台６１と、電子の入射により発光する発光体Ｌが一方（図２では上側）の表面に配置された支持台６４と、試料台６１と支持台６４とを接続する支柱６３とを備えている。そして、支持台６４は、発光体Ｌの裏面（図２では下側の面）全体を支持すると共に、ボルト等の既知の固定手段を用いてＳＥＭの試料ステージ５に着脱自在に固定されている。なお、図示例では試料台６１と支持台６４とが支柱６３を介して接続されているが、試料台６１と支持台６４とは別体で構成されていてもよい。
【００４４】
ここで、電子顕微鏡用アタッチメント６の平面図を図３（ｂ）に示し、図３（ｂ）のＡ−Ａ線に沿う断面図を図３（ａ）に示すように、円盤状の試料台６１および円柱状の支柱６３は、支持台６４の一方の表面に立設されている。そして、円盤状の試料台６１には、図示例では４つの電子通過孔６２が形成されており、試料台６１の電子銃１側の表面には、当該電子通過孔６２の何れか一つ（図３（ｂ）では左下に位置する電子通過孔６２）を覆うように観察対象の試料Ｓが設置されている。また、支柱６３は、モーターなどの既知の手法を用いて、支持台６４上で回転可能に、および／または、試料台６１と支持台６４とを図３（ａ）では上下方向に近接離間可能に構成されている。
なお、試料台６１の電子通過孔６２上および電子通過孔６２の周囲の電子銃１側の表面は、試料Ｓが設置される試料設置位置となる。そこで、試料台６１の電子通過孔６２の周囲の電子銃１側の表面には、試料Ｓを載置するための凹部（試料設置部）を形成してもよい。また、試料台６１には、試料台６１に設置した試料Ｓを固定することで試料Ｓの良好な観察を可能にするための既知の固定機構（例えば、試料Ｓの外周縁を保持する押さえ枠など）が設けられていてもよい。
【００４５】
また、電子顕微鏡用アタッチメント６の支持台６４は、例えば金属などの光不透過性の材料よりなり、その試料台６１側の表面には、発光体Ｌが配置されている。具体的には、発光体Ｌは、支持台６４の試料台６１側の表面のうち、試料Ｓ上で電子線を走査した際に、試料Ｓを透過し、電子通過孔６２を通った電子が入射し得る位置に配置されている。換言すれば、発光体Ｌは、試料台６１側に位置する表面の少なくとも一部が電子通過孔６２を望む位置に設けられている。
なお、以下に詳細に説明するように、この電子顕微鏡１０では、試料Ｓを透過した電子が入射する側に対して発光体Ｌが放射した光を光検出器Ｄで検出して走査透過電子像を得る。そして、この一例の電子顕微鏡１０では、発光体Ｌが裏面側に放射した光を検出する必要がないので、支持体６４を光不透過性の材料で構成したり、発光体Ｌの裏面全体を支持体６４で支持したりしているが、これらの構成は必須の構成ではなく、本発明の電子顕微鏡に使用するアタッチメントの支持体は、光透過性の材料で構成してもよいし、発光体Ｌの裏面の一部のみを支持してもよい。
【００４６】
なお、発光体Ｌとしては、蛍光塗料を乾燥させて得た粉体を加圧成形してなるものや、蛍光塗料を乾燥させて得た粉体を両面テープの一方の面に貼り付けたものなど、既知の発光体を使用することができる。なお、発光体Ｌの形状やサイズは図示例には限定されない。
【００４７】
電子顕微鏡１０の光検出器Ｄは、光電子増倍管などの既知の光検出器よりなり、試料Ｓを透過した電子が入射する側に対して発光体Ｌが放射した光を検出し得る位置に設置されている。即ち、光検出器Ｄは、支持台６４上の発光体Ｌを望む位置に設けられている。なお、光検出器Ｄは、電子顕微鏡用アタッチメント６と同様にＳＥＭに別途取り付けても良いが、コストの観点からは、ＳＥＭに予め備え付けられている光検出器が存在する場合には、当該光検出器を光検出器Ｄとして使用することが好ましい。また、電子顕微鏡１０は、光検出器Ｄを用いた光の検出に際して発光体Ｌが放射した光を光検出器Ｄに向けて集光するための反射ミラー（図示せず）を備えていてもよい。
【００４８】
光検出器Ｄで検出された光の情報を用いて走査透過電子像を形成する結像機構（図示せず）は、光検出器Ｄで光が検出された際に電子線ＥＢが走査していた位置（走査位置）と、光検出器Ｄで検出した光の強度とを対応付けて記憶すると共に、各走査位置に対応付けられた光の強度を既知の手法で輝度変調することにより、走査透過電子像を作成する機構である。そして、結像機構としては、ＳＥＭに通常備えられている走査電子像の結像機構を利用することができる。
【００４９】
そして、上述した構成を有する電子顕微鏡１０によれば、上述した試料観察方法の一例を用いて、良好な走査透過電子像を観察することができる。特に、電子顕微鏡１０によれば、例えば走査透過電子像の観察とエネルギー分散型Ｘ線分光器（ＥＤＳ）を用いた元素分析とを同時に実施しようとした場合など、対物レンズ（図示せず）の下面と試料Ｓとの間の距離（ＷＤ：ワーキングディスタンス）を大きくした場合であっても、良好な走査透過電子像を観察することができる。
また、電子顕微鏡１０は、発光体Ｌが放射した光を検出するためのスペースを発光体Ｌの下側に設ける必要が無いので、構造が簡素である。
更に、電子顕微鏡１０によれば、試料を透過した電子を絞る絞りを使用しなくても、良好な走査透過電子像を観察することができる。また、所望の位置に透過または散乱した電子を利用して走査透過電子像を観察することができる。更に、発光体Ｌのサイズおよび形状を任意に選択することができ、また、それらの変更も容易である。
【００５０】
また、上述した構成を有する電子顕微鏡１０によれば、上述した試料観察方法の一応用例を用いて、同一の試料Ｓについて明視野像と暗視野像との双方を得ることができる。
【００５１】
ここで、電子顕微鏡１０において上述した試料観察方法の一応用例を用いて明視野像および暗視野像を観察する場合、試料Ｓの位置に対する発光体Ｌの位置を相対的に変化させる手段（相対変位機構）としては、特に限定されることなく、以下の（１）〜（３）を例示することができる。
（１）支持台６４上で試料台６１を回転させる支柱６３、および／または、試料台６１と支持台６４とを近接離間させる支柱６３。
（２）試料台６１に設けられた複数の電子通過孔６２よりなる複数の試料設置位置。
（３）支持台６４に対して着脱自在な発光体Ｌ。
【００５２】
上記（１）の手段によれば、例えば、発光体Ｌの少なくとも一部が電子線ＥＢの光軸Ｏ上（即ち、電子通過孔６２に対向する位置）に位置した状態で明視野像を観察した後、試料台６１上の試料Ｓの位置および支持台６４上の発光体Ｌの位置を固定した状態で、支柱６３により試料台６１と支持台６４との相対的な位置関係を変更する（例えば、試料台６１を回転させる、或いは、試料台６１と支持台６４とを近接させる）ことにより、発光体Ｌの少なくとも一部が電子線ＥＢの光軸Ｏ上からオフセットした状態とし、暗視野像を観察することができる。
また、上記（２）または（３）の手段によれば、例えば、発光体Ｌの少なくとも一部が電子線ＥＢの光軸Ｏ上に位置した状態で明視野像を観察した後、試料Ｓまたは発光体Ｌの設置位置を変更する（例えば、試料Ｓを別の電子通過孔６２の上に設置する、或いは、発光体Ｌの設置位置をずらす）ことにより、発光体Ｌの少なくとも一部が電子線ＥＢの光軸Ｏ上からオフセットした状態とし、暗視野像を観察することができる。
なお、試料Ｓおよび発光体Ｌの位置の変更の容易性の観点からは、上記（１）を採用することが好ましく、コスト削減および装置の簡素化の観点からは、上記（２）または（３）を採用することが好ましい。
【００５３】
更に、上述した構成を有する電子顕微鏡１０によれば、上述した試料観察方法の他の応用例を用いて、同一の試料Ｓについて明視野像と暗視野像との双方を簡便かつ容易に得ることができる。
【００５４】
なお、上述した試料観察方法の他の応用例を用いて試料Ｓの明視野像と暗視野像との双方を観察する場合には、例えば、図３（ａ），（ｂ）のＬ１に示す位置に第一の発光体を配置し、図３（ａ），（ｂ）のＬ２に示す位置に第二の発光体を配置するなど、表面の少なくとも一部が電子通過孔６２に対向するように第一の発光体を配置すると共に、表面の少なくとも一部が電子通過孔６２に対向する位置からオフセットした場所に位置するように第二の発光体を配置すればよい。また、光検出器Ｄとしては、第一の発光体Ｌ１が放射した光ＥＬと、第二の発光体Ｌ２が放射した光ＥＬとを分けて検出可能な既知の検出器を使用すればよい。なお、第一の発光体および第二の発光体の形状および配置は図３（ａ），（ｂ）に示す位置には限定されず、例えば、電子通過孔６２の直下に円盤状の第一の発光体を配置し、当該第一の発光体を囲繞するように円環状の第二の発光体を配置することなどもできる。
【実施例】
【００５５】
以下、本発明について実施例に基づき具体的に説明するが、本発明はこれら実施例に限定されるものではない。
【００５６】
（実施例１）
走査型電子顕微鏡（Carl Zeiss製、SUPRA 55-VP）の試料ステージに対して図３に示す電子顕微鏡用アタッチメントを取り付けることにより、図２に示すような構成を有し、走査透過電子像の観察が可能な電子顕微鏡を作製した。なお、光検出器としては、走査型電子顕微鏡（Carl Zeiss製、SUPRA 55-VP）が予め備えている光検出器（光電子増倍管）を用いた。
次に、１．５質量％のＣｕを含むフェライト系ステンレス鋼を熱処理し、Ｃｕ粒子を析出させた後、直径３ｍｍの薄片にし、電解研磨により中央部に小さい孔があくまで薄くして観察用試料とした。
また、ＺｎＳを含む蛍光塗料を乾燥させて得た粉体を両面テープの一方の面に貼り付け、発光体を作製した。
そして、電子顕微鏡用アタッチメントの試料台の電子通過孔の上に観察用試料を設置すると共に、図３に示すＬ１の位置に発光体を設置して、観察用試料の孔の周囲を観察した。なお、観察条件は、加速電圧：２０ｋＶ、ワーキングディスタンスＷＤ：２．７ｍｍ、倍率：５００倍であった。その結果、図４（ａ）に示すような明視野像が得られた。
次に、発光体を支持台から剥離し、発光体の設置位置を図３に示すＬ２の位置に変更して、再び観察用試料の孔の周囲を観察した。その結果、試料と孔のコントラストが逆転した、図４（ｂ）に示すような暗視野像が得られた。
この結果より、本発明に係る電子顕微鏡によれば、試料の位置と発光体の位置とを相対的に変化させることにより、明視野像と暗視野像との双方が得られることが分かる。
【００５７】
（実施例２）
次に、倍率を５０，０００倍に変更した以外は実施例１と同様にして、観察用試料について明視野像および暗視野像を観察した。得られた明視野像を図５（ａ）に示し、得られた暗視野像を図５（ｂ）に示す。
また、同一の観察用試料について、透過型電子顕微鏡（日本電子製、JEM2010F）を使用し、加速電圧：２００ｋＶ、倍率：１００，０００倍の条件で観察を行なった。得られた明視野像を図５（ｃ）に示し、分析視野を図５（ｄ）に示す。
図５（ａ）〜（ｄ）より、本発明に係る電子顕微鏡によれば、透過型電子顕微鏡と殆ど同じレベルで、５０ｎｍ程度以下の大きさのＣｕ粒子およびＣｕ粒子が抜け落ちた穴（Ｃｕ粒子脱落部）が観察できることが分かる。従って、本発明に係る電子顕微鏡によれば、良好な走査透過電子像が得られることが分かる。
また、図５（ａ），（ｂ）より、Ｃｕ粒子およびＣｕ粒子脱落部のコントラストが、発光体の位置を変更することにより逆転していることから、ナノレベルの高倍率観察でも、明視野像と暗視野像との双方が得られることが分かる。
【００５８】
（実施例３）
倍率を５０，０００倍に変更した以外は実施例１と同様にして、観察用試料の明視野像を観察した。得られた明視野像を図６（ａ）に示す。
また、同時に、インレンズ検出器およびチャンバー検出器を使用して、観察用試料の二次電子像を得た。インレンズ検出器を用いて得た二次電子像を図６（ｂ）に示し、チャンバー検出器を用いて得た二次電子像を図６（ｃ）に示す。
図６（ａ）〜（ｃ）より、図６（ａ）に示す明視野像では全てのＣｕ粒子およびＣｕ粒子脱落部が観察され、インレンズ検出器を用いた二次電子像では観察用試料の表面側のＣｕ粒子脱落部が観察され、チャンバー検出器を用いた二次電子像ではＣｕ粒子と観察用試料の両面のＣｕ粒子脱落部が観察されることが分かる。従って、本発明に係る電子顕微鏡によれば、走査透過電子像と、インレンズ検出器およびチャンバー検出器を使用した二次電子像などの異なる像とを組み合わせて同時に観察することにより、Ｃｕ粒子、試料の表面側の粒子脱落部および試料の裏面側の粒子脱落部のそれぞれの位置を特定することが可能となることが分かる。
【００５９】
（実施例４）
ワーキングディスタンスを８.０ｍｍにし、倍率を５０，０００倍に変更した以外は実施例１と同様にして、観察用試料の暗視野像を観察した。得られた暗視野像を図７（ａ）に示す。
また、同時に、図７（ａ）に示す暗視野像の微小な領域について、エネルギー分散型Ｘ線分光器（ＥＤＳ）を用いた元素分析を行なった。なお、ＥＤＳを用いた元素分布は、ブルカー社製のシリコンドリフト検出器を用いてスペクトラルマッピングモードで測定した。ＥＤＳ分析の結果を図７（ｂ）に示す。
図７（ａ）および（ｂ）より、暗視野像の明るい粒子状部分に対応するＣｕ粒子の分布が明瞭に検出されていること、および、２０ｎｍ程度の粒子からもＣｕの信号が検出されていることが分かる。一方、図７（ａ）および（ｂ）より、暗視野像の暗い粒子状部分は、Ｆｅ、ＣｒおよびＣｕなどの試料に起因する元素の信号が弱いことから、粒子が脱落した穴であることが判定できる。
これらのことから、走査透過電子像とＥＤＳ分析とを併用して、高い空間分解能での観察および元素分析が同時にできることがわかる。
【００６０】
（実施例５）
電子を透過する厚さのカーボン薄膜をＣｕグリッドの上に載せてなる観察用試料について、実施例１と同様の装置構成を有する電子顕微鏡（図３に示す電子顕微鏡用アタッチメントを取り付けた走査型電子顕微鏡）と、市販の薄膜観察用ＳＥＭホルダを取り付けた走査型電子顕微鏡とを用いて観察を行った。
具体的には、実施例１と同様の装置構成を有する電子顕微鏡を使用し、加速電圧：３０ｋＶ、ワーキングディスタンスＷＤ：８．０ｍｍ、倍率：２００倍の観察条件で観察用試料の走査透過電子像（明視野像）を観察した。得られた明視野像を図８（ａ）に示す。
また、走査型電子顕微鏡（日本電子製、JSM7001F）に市販の薄膜観察用ＳＥＭホルダを取り付けてなる比較例電子顕微鏡を使用し、加速電圧：３０ｋＶ、ワーキングディスタンスＷＤ：２．７ｍｍ、倍率：２００倍の観察条件で観察用試料の走査透過電子像（明視野像）を観察した。得られた明視野像を図８（ｂ）に示す。なお、市販の薄膜観察用ＳＥＭホルダは、試料を支持する支持部と、試料を透過した電子を絞る固定型の絞り部と、絞り部を通過した電子線が照射されることで二次電子を発生する二次電子発生部とを備える試料ホルダである。そして、比較例電子顕微鏡では、走査型電子顕微鏡に備わっているチャンバー検出器（Everhart-Thornley検出器）を使用し、薄膜観察用ＳＥＭホルダの二次電子発生部から発生した二次電子を検出することにより走査透過電子像を得た。
更に、比較例電子顕微鏡を使用し、ワーキングディスタンスを、この比較例電子顕微鏡のＥＤＳ分析時の条件である１５ｍｍに変更して観察用試料の観察を行ったところ、走査透過電子像の観察はできず、試料の上面からの二次電子像が観察された。得られた二次電子像を図８（ｃ）に示す。
図８（ａ）および（ｂ）より、本発明に係る電子顕微鏡では全視野でグリッド孔（約７０μｍ×７０μｍ）を観察できるのに対し（図８（ａ）参照）、比較例電子顕微鏡では円形の範囲（電子線が絞り部を通過した部分）でしかグリッド孔を観察できないことが分かる（図８（ｂ）参照）。よって、本発明に係る電子顕微鏡によれば、観察用試料の広い範囲を観察可能であることが分かる。また、比較例電子顕微鏡では固定型の絞り部を有する薄膜観察用ＳＥＭホルダを使用しているために固定された円形の範囲しか観察できないが、本発明に係る電子顕微鏡によれば、蛍光体の設置範囲を調整し、試料台を動かすことで、図８（ａ）に示す視野の更に外側も容易に観察することができる。
また、図８（ｂ）および（ｃ）より、比較例電子顕微鏡では、ワーキングディスタンスを大きくすると、試料の上面から発生した二次電子も多量に検出してしまうため、走査透過電子像の観察ができなくなり、試料の上面からの二次電子像のみが観察できることが分かる。よって、比較例電子顕微鏡では、走査透過電子像を観察しながらＥＤＳによる分析を行うことができないことが分かる。一方、前述のとおり本発明に係る電子顕微鏡ではワーキングディスタンスの大きさにかかわらず走査透過電子像を観察できる。
以上より、本発明に係る電子顕微鏡によれば、広範囲かつ幅広い分析条件で走査透過電子像を観察し得ることが分かる。
なお、上記では、本発明に係る電子顕微鏡と比較例電子顕微鏡とで異なる走査型電子顕微鏡を用いているが、観察結果には本質的な差は生じない。また、図８（ａ）と図８（ｂ）とでワーキングディスタンスの大きさが異なるが、観察結果には本質的な差は生じない。
【産業上の利用可能性】
【００６１】
本発明の電子線を用いた試料観察方法によれば、簡素な装置を使用し、高い自由度で良好な走査透過電子像を観察することができる。
また、本発明の電子顕微鏡用アタッチメントによれば、簡素な構成のアタッチメントを用いて、良好な走査透過電子像を高い自由度で観察することができる。
更に、本発明の電子顕微鏡は、構成が簡素であり、且つ、良好な走査透過電子像を高い自由度で観察することができる。
【符号の説明】
【００６２】
１  電子銃
２  集束レンズ
３，４  走査コイル
５  試料ステージ
６  電子顕微鏡用アタッチメント
１０  電子顕微鏡
６１  試料台
６２  電子通過孔
６４  支持台
６３  支柱
Ｓ  試料
Ｌ  発光体
ＥＢ  電子線
ＴＥ，ＳＥ  電子
Ｄ  光検出器
Ｏ  光軸
【図１】
2015181101.tif 000003
【図２】
2015181101.tif 000004
【図３】
2015181101.tif 000005
【図４】
2015181101.tif 000006
【図５】
2015181101.tif 000007
【図６】
2015181101.tif 000008
【図７】
2015181101.tif 000009
【図８】
2015181101.tif 000010